(57)【要約】      （修正有）【課題】各種の被下げ物に応じて天井等からの吊下げ高さ位置を任意に調節選択することができるように開発された吊り具を提供する。【解決手段】吊り紐３が引き出し、発条手段４により巻取り収容される本体部１と、本体部１の繰出し口８に連通されて同本体部１に備えられ、引き出された吊り紐３が、被下げ物Ｂの重さによって更に引き出されないように吊り紐３をロック保持するロック手段２とを備え、ロック手段２は、繰出し口８に連通する挿通路７を有するケース部2-1と、挿通路７の通路幅方向に内設されて挿通路７を通って外部に引き出される吊り紐３を、被吊り物Ａの重さよりも強い弾発力により挟持する一対の挟持ローラー2-2，2-3とを備え、挿通路７は、縦長通路形状に形成される。【選択図】図１
0003111531.tif 000002
【実用新案登録請求の範囲】
【請求項１】
天井等に取り付けられ、吊り紐を介してカレンダー等の被下げ物を適宜の高さ位置に吊り下げる吊り具であって、
吊り紐が引き出し、そして発条手段により巻取り収容される本体部と、この本体部の周壁下部側の繰出し口に連通されて同本体部に備えられ、適宜の長さに引き出された吊り紐が、被下げ物の重さによって更に引き出されないように適宜の弾発力により吊り紐をロック保持するロック手段とで構成され、
上記本体部は、吊り紐を巻き取るリールと、このリールを巻き取り方向に常時付勢する発条手段とを同軸並列上に内設すると共に、周壁上部側に天井等への下げ部を備え、
上記ロック手段は、少なくとも本体部の繰出し口に連通する挿通路を有して同本体部の周壁下部側に備えられるケース部と、前記挿通路の通路幅方向において相対状に内設されて該挿通路を通って同挿通路下部に開口されている引出し口から外部に引き出される吊り紐を、被吊り物の重さよりも強い弾発力を有する弾発手段により挟持する一対の挟持ローラーとを備え、
上記挿通路は、上記吊り紐の引き出し、そして巻き戻しに連ねて上記一方の挟持ローラーがその引き出し、巻き戻し方向に適宜の移動範囲にて転動するように縦長状に形成され、
且つ、その縦長通路方向の略中央部位における通路幅方向の一側壁と他側壁との間隔を吊り紐の太さと前記一方の挟持ローターの外径との両寸法と略同程度の間隔とする幅狭通路部と成し、該幅狭通路部より通路上半部側を前記両寸法よりもかなり広い間隔で、該幅狭通路部に対して急なスロープにて連設させた幅広通路部と成し、更に前記幅狭通路部より通路下半部側を前記両寸法と略同間隔で、該幅狭通路部に対して緩やかなスロープにて連設させた平行な垂直平行通路部と成した略縦長通路形状に形成され、
上記一対の挟持ローラーは、略同径な外径に夫々形成され、その一方の挟持ローラーは、上記挿通路内に同通路方向転動自在に内設されると共に、他方の挟持ローラーは、上記幅狭通路部における挿通路の一側壁側に直交貫通状に設けられた装填孔に被吊り物の重さよりも強い弾発力により通路内出没自在に装填されていることを特徴とする吊り具。
【請求項２】
上記一方の挟持ローラーの外周面に歯部を設けると共に、上記挿通路における幅狭通路部、同通路に連なる幅広通路部のスロープ及び垂直平行通路部のスロープを含めた挿通路の他側壁側に前記歯部が噛合する案内歯部を設けて、上記吊り紐の引き出し、そして巻き戻しに連ねて一方の挟持ローラーが前記挿通路を通路方向に転動するに際して外周歯部が誘導歯部に噛合せしめるように形成されていることを特徴とする請求項１記載の吊り具。
【考案の詳細な説明】
【技術分野】
【０００１】
本考案は、カレンダー、ハンガー掛け洋服やその他の被下げ物を天井等の高所から適宜の高さ位置に吊り下げるために使用される吊り具に関する。
【背景技術】
【０００２】
従来、カレンダー等の被下げ物を部屋等に吊下げる場合には壁等の手を伸ばして届く高さ位置に、釘やネジ、その他の専用掛け具を取り付けて、該掛け具等にカレンダー等を吊下げているのが実情であった。
【０００３】
ところで、オフィスフロアー等のように広い空間において、同フロアーで働く社員等が見えるようにカレンダーを吊り下げるためには天井近くまで高さを上げて吊り下げる必要がある。
また、一般家庭等においては例えば梅雨時に洗濯物を部屋に吊るして干す場合、干す高さが低いと部屋全体のスペース（空間）が狭くなり易く、そのために天井近くまで高さを上げて吊り下げることが行われている。
そのために、従来では三脚等の踏み台を使用し、天井等に前述の掛け具等を取り付けてカレンダーやハンガー掛けされた洗濯物等の被下げ物を吊り下げなければならず、面倒で手間が掛かるものとなっていた。また、家庭の主婦等、特に高齢者は踏み台から足を滑らせて転倒する危険があった。
【０００４】
そこで、従来では天井裏に巻取り手段を取り付け、該手段から引き出されたワイヤを天井に開口した引き出し口から部屋内へ導き、該ワイヤに取り付けたフック手段に各種の家庭用品等を吊下げることができるように構成された収納式の天井吊り具が知られている（特許文献１参照）。
【０００５】
しかし乍ら、この従来吊り具は、天井からの被下げ物の下げ高さは巻取り手段から引き出されるワイヤの全長に依存するものであることから、吊下げる被下げ物に応じて適宜高さ位置を変更することができず、取扱い性において問題が残されていた。
尚、天井からの吊り下げ高さを変更するためにはワイヤ自体の長さを切断する等によって調節するものとなっている。
【０００６】
【特許文献１】実開平５−７６３７９号
【考案の開示】
【考案が解決しようとする課題】
【０００７】
本考案は、この様な従来事情に鑑みて成されたものであり、その解決しようとする課題は、一旦天井等の高所に取り付けておけば、三脚等の踏み台を使用せずにカレンダー等の被下げ物を適宜の高さ位置に吊り下げることができ、しかも、各種の被下げ物に応じて吊下げ高さ位置を任意に調節選択することができるように開発された吊り具を提供することにある。
【課題を解決するための手段】
【０００８】
上記課題を解決するために本考案は、請求項１では、天井等に取り付けられ、吊り紐を介してカレンダー等の被下げ物を適宜の高さ位置に吊り下げる吊り具であって、
吊り紐が引き出し、そして発条手段により巻取り収容される本体部と、この本体部の周壁下部側の繰出し口に連通されて同本体部に備えられ、適宜の長さに引き出された吊り紐が、被下げ物の重さによって更に引き出されないように適宜の弾発力により吊り紐をロック保持するロック手段とで構成され、
上記本体部は、吊り紐を巻き取るリールと、このリールを巻き取り方向に常時付勢する発条手段とを同軸並列上に内設すると共に、周壁上部に天井等への下げ部を備え、
上記ロック手段は、本体部の繰出し口に連通する挿通路を有して同本体部の周壁下部側に備えられるケース部と、前記挿通路の通路幅方向において相対状に内設されて該挿通路を通って同挿通路下部に開口されている引出し口から外部に引き出される吊り紐を、被吊り物の重さよりも強い弾発力を有する弾発手段により挟持する一対の挟持ローラーとを備え、
上記挿通路は、上記吊り紐の引き出し、そして巻き戻しに連ねて上記一方の挟持ローラーがその引き出し、巻き戻し方向適宜の移動範囲にて転動するように縦長状に形成され、
且つ、縦長通路方向の略中央部位における通路幅方向の一側壁と他側壁との間隔を吊り紐の太さと前記一方の挟持ローラーの外径との両寸法と略同程度の間隔とする幅狭通路部と成し、該幅狭通路部より通路上半部側を前記両寸法よりもかなり広い間隔で、該幅狭通路部に対して急なスロープにて連設させた幅広通路部と成し、更に前記幅狭通路部より通路下半部側を前記両寸法と略同間隔で、該幅狭通路部に対して緩やかなスロープにて連設させた平行な垂直平行通路部と成した略縦長通路形状に形成され、
上記一対の挟持ローラーは、略同径な外径に形成され、その一方の挟持ローラーは、上記挿通路内に同通路方向転動自在に内設されると共に、他方の挟持ローラーは、上記幅狭通路部における挿通路の一側壁側に直交貫通状に設けられた装填孔に適宜の弾発力により通路内出没自在に装填されていることを特徴とする吊り具にある。
【０００９】
また、本考案では、上記一方の挟持ローラーの外周面に歯部を設けると共に、上記挿通路における幅狭通路部、同通路に連なる幅広通路部のスロープ及び垂直平行通路部のスロープを含めた他側壁側に前記歯部が噛合する誘導歯部を設けて、上記吊り紐の引き出し、そして巻き戻しに連ねて一方の挟持ローラーが前記挿通路を通路方向に転動するに際して外周歯部が誘導歯部に噛合せしめるように形成することが好適なものとなる（請求項２）。
この様に、挿通路に上下転動自在に内設されて、吊り紐の引き出し、そして巻き戻しに連ねて上下に転動する一方の挟持ローラーの外周面と、挿通路における幅狭通路部、同通路に連なる幅広通路部のスロープ及び垂直平行通路部の他側壁面とに噛合し合う歯部を設けることによって、吊り紐の引き出し、そして巻き戻しに連ねて転動しながら上下に移動する一方の挟持ローラーの同移動の確実性が図られるものである。
【考案の効果】
【００１０】
本考案の吊り具は叙上の如く構成してなることから下記の作用効果を奏する。
請求項１記載の構成によれば、吊り紐が引き出し、そして発条手段により巻取り収容される本体部の周壁下部側の繰出し口に連通させて、本体部から適宜の長さにて引き出された吊り紐が、被下げ物の重さによって更に引き出されないように吊り紐を、被吊り物の重さよりも強い弾発力を有する弾発手段により挟持せしめた状態でロック保持する一対の挟持ローラーからなるロック手段を備えていることで、吊り紐を任意の引出し長さ状態にて止めることができる。
従って、例えば天井等の高所に取り付けておけば、各種の被下げ物に応じて天井からの吊下げ高さ位置を任意に調節選択することができる。
【００１１】
また、請求項２記載の構成によれば、請求項１記載の作業に加えて、ロック手段を構成するケース部の縦長通路形状の挿通路に、同通路方向転動自在に内設される一方の挟持ローラーの外周面に歯部を設けると共に、挿通路における幅狭通路部、同通路に連なる幅広通路部のスロープ及び垂直平行通路部のスロープを含めた他側壁側に前記歯部が噛合する誘導歯部を設けて、上記吊り紐の引き出し、そして巻き戻しに連ねて一方の挟持ローラーが前記挿通路を通路方向に転動するに際して外周歯部が誘導歯部に噛合せしめるように形成してなることで、本体部からの吊り紐の引き出し、そして巻き戻しそれなら動きに連ねて一方の挟持ローラーを転動させて、挿通路下半部側の垂直平行通路部に移動させたり、同上半部側の拡開通路部に移動させるこれらの動きの確実性が図られる。
従って、本体部からの吊り紐の引き出し、そして発条手段による吊り紐の本体部内への巻取り収納、これらの動きに対して何等支障を来たす恐れがなく、挿通路中央部位の幅狭通路部における一方の挟持ローラーと、装填孔に被吊り物の重さよりも強い弾発力により通路内出没自在に装填されている他方の挟持ローラーとによる吊り紐のロック保持が確実に実行されるものである。
また、挿通路に内設された一方の挟持ローラーが外周歯部を誘導歯部に噛合せしめた状態で他方の挟持ローラーとによって吊り紐をロック保持（挟持）するようにしていることで、一方の挟持ローラーが他方の挟持ローラーの弾発力により拡開通路側や垂直平行通路部側に逃げることなく、確実に幅狭通路部と確実に止まることとなる。これにより、吊り紐のロック保持の確実性がより一層図られる。
【考案を実施するための最良の形態】
【００１２】
本考案の最良の実施形態を図１〜図５に基づいて説明する。
【実施例１】
【００１３】
図１は、本考案吊り具Ａの実施形態の一例を示し、図において１は本体部、２はロック手段であり、本体部１に引き出し、そして発条手段４により巻取り収容される吊り紐３が、本体部１から適宜の長さに引き出された状態において、カレンダー、ハンガー掛け洋服やその他の被下げ物Ｂの重さによって更に引き出されないようにロック手段２によってロック保持されるように構成されている。
【００１４】
本体部１は、合成樹脂材やその他の所望な材料によって適宜の形状（外形）を有する内部中空の分割状に形成され、内部中心部に取り付けられる軸体５に、吊り紐３を巻き取るリール６と、このリール６を巻き取り方向に適宜の弾発力によって常時付勢する発条手段４とを同軸並列上に内設している。
そして、周壁下部側にリール６に巻き取られる吊り紐３を本体部１内からロック手段２の後述するケース部2-1の挿通路７へと繰出す繰出し口８が開口されており、また、周壁上部側には天井Ｃ等への下げ部９を備えている。
【００１５】
ロック手段２は、本体部１の繰出し口８に連通する挿通路７を有して同本体部１の周壁下部側に備えられるケース部2-1と、前記挿通路７の通路幅方向において相対状に内設されて該挿通路７を通って同挿通路７下部に開口されている引出し口10から外部に引き出される吊り紐３を、被吊り物Ｂの重さよりも強い弾発力を有する弾発手段11により挟持せしめてロック保持する一対の挟持ローラー2-2，2-3とを備えている。
図中12は、上記弾発手段11の弾発力を被下げ物Ｂの重さ等に応じて任意に調節設定するための調節摘みである。
【００１６】
上記挿通路７は、上記吊り紐３の引き出し、そして巻き戻しに連ねて上記一方の挟持ローラー2-2がその引き出し、巻き戻し方向適宜の移動範囲にて転動するように縦長通路形状に形成されている。
【００１７】
そして、上記繰出し口８から引出し口10に向けて吊り紐３が垂れ下がるように沿う挿通路７の通路幅方向の一側壁を、繰出し口８から引出し口10とを直線的に連設するように垂直壁に形成すると共に、通路方向の略中央部位における通路幅方向の一側壁と他側壁との間隔を吊り紐３の太さと前記挟持ローター2-2の外径との両寸法と略同程度の間隔とする幅狭通路部7-1に形成している。
また、前記幅狭通路部7-1より通路上半部側を前記両寸法よりもかなり広い間隔で、該幅狭通路部7-1に対して急なスロープにて連設させた幅広通路部7-2を形成すると共に、前記幅狭通路部7-1より通路下半部側を前記両寸法と略同間隔で、該幅狭通路部7-1に対して緩やかなスロープにて連設させた垂直平行通路部7-3を形成した他側壁を通路方向に緩やかな略波形壁とする略縦長通路構造にしている。
【００１８】
即ち、挿通路７は、通路幅方向の一側垂直壁に対して他側壁を、通路方向の中央部位において一側垂直壁側に向けて凸形とすることで、同一側垂直壁との間隔を吊り紐３の太さと挟持ローター2-2の外径との両寸法と略同程度とする幅狭通路部7-1と成し、これにより、弾発手段11により挿通路７内方向に弾発される他方の挟持ローラー2-3と同幅狭通路部7-1における幅広通路部7-2側に存在する挟持ローラー2-1との間に挟まれた吊り紐３が前記弾発手段11により挟持され、吊り紐３が被吊り物Ａの重さなどによって引き出されないようにロック保持される。
【００１９】
また、上記挿通路７は、幅狭通路部7-1から通路上半部側における他側壁を一側垂直壁から離れる凹形とすることで、前記両寸法よりもかなり広く形成された幅広通路部7-2と成し、これにより、吊り紐３が発条手段４より本体部１のリール６に巻き戻されるその動きに連ねて挟持ローラー2-2が転動せしめて前記幅広通路部7-2側に移動されることによって、一対の挟持ローラー2-2，2-3による挟持状態（ロック状態）が解除され、吊り紐３が発条手段４により本体部１内に巻き戻される。
【００２０】
更に、上記挿通路７は、幅狭通路部7-1から通路下半部側における他側壁を一側垂直壁から僅かに且つ略平行に離れることで、前記両寸法と同じかそれよりも僅かに広く一側垂直壁と他側壁とが平行とする垂直平行通路部7-3と成し、これにより、使用者が一対の挟持ローラー2-2，2-3による挟持状態（ロック状態）を解除するに際して、吊り紐３を前記挟持状態、換言すれば、弾発手段11よりも強めの力で引っ張ることによって、挟持ローラー2-2が、弾発手段11により付勢されている挟持ローラー2-3との挟持力に抗して吊り紐３が引き出されるその動きに連ねて転動せしめて垂直平行通路部7-3側へと移動する。これにより、吊り紐３を本体部１から抵抗無く速やかに引き出すことができる。
【００２１】
更に、上記挿通路７における幅狭通路部7-1、同通路7-1に連なる幅広通路部7-2のスロープ及び垂直平行通路部7-3のスロープを含めた他側壁側に案内歯部13を設けて、吊り紐の引３き出し、そして巻き戻しに連ねて挟持ローラー2-2が挿通路７を通路方向に転動するに際して該挟持ローラー2-2の後述する外周歯部14が案内歯部13に噛合せしめるようにしている。
【００２２】
また、上記挿通路７における幅狭通路部7-1に位置する一側垂直壁からケース部2-1の外側に向けて同挿通路７と直交するように装填孔15が貫通されており、この装填孔15に他方の挟持ローラー2-3が通路内方向に出没自在に装填されるようにしている。
【００２３】
装填孔15は、他方の挟持ローラー2-3を出没自在に緩嵌されるようにケース部2-1に貫通開口されるものであるが、挿通孔７に臨む内端開口部分は挟持ローラー2-3の挿通孔７内への脱落を防止するべく若干小径とすることが良い。
【００２４】
一対の挟持ローラー2-2，2-3は、略同径な外径を有する棒状に夫々形成され、その一方の挟持ローラー2-2は、外周面に挿通路７の上記案内歯部13に噛合せしめる案内歯部14を備えて、吊り紐３の引出し、そして本体部１内への巻き戻しに連ねて挿通路７内に、同通路方向転動自在に内設されるようにしている。
他方の挟持ローラー2-3は、その外周面を鏡面と成して上記装填孔15に圧縮バネ材等からなる弾発手段11による適宜の弾発力により挿通路７内に向けて出没自在に装填され、相対する挿通孔７の幅狭通路部7-1において止まる一方の挟持ローラー2-2とによって引き出された吊り紐３を挟持せしめるようにしている。
【００２５】
また、他方の挟持ローラー2-3は、外周面に取り付けた付勢軸16を装填孔15の他端開口部を閉鎖する蓋体17に貫通スライド自在に挿通せしめて、該付勢軸16の取り付けた付勢板18と、ケース部2-1の外面にバネボックス19を介して取り付けた調節摘み12の付勢板20との間に弾発手段11を弾装せしめることによって、挟持ローラー2-3の挿通路７内方への弾発力が任意に調節されるようにしている。
つまり、調節摘み12によって、一方の挟持ローラー2-2とによる吊り紐３の挟持力が被下げ物Ｂの重さに応じて任意に調節できるようにしている。
【００２６】
次に、以上の如く構成された本例の吊り具Ａに使用法について簡単に説明する。
先ず、天井Ｃ等に本体部１上部の下げ部９を取り付ける適宜の取付手段（図示せず）を取り付け、該取付手段に本体部１を吊下げて天井Ｃに設置する。
この時、吊下げる被下げ物Ｂの重さに応じて調節摘みを回して一対の挟持ローラー2-2，2-3による吊り紐３の挟持力に任意に調節する。
【００２７】
そして、例えば図５のように、カレンダーを吊下げて使用する場合には、吊り紐３の端部に備えられているリングやフックからなる掛け部を持って吊り紐３を本体部１から引き出す。この時、挿通路７の幅広通路部7-2に止まっていた挟持ローラー2-2は吊り紐３との接触と外周歯部14の案内歯部13に対する噛合によって吊り紐３の引き出しに連れて幅狭通路部7-1を乗り越えて垂直平行通路部7-3へと転動しながら移動する（図３の（ａ）から（ｂ）の状態）。これにより、吊り紐３の引き出しはスムーズに行われる。
【００２８】
次に、適宜の長さに引き出した吊り紐３を発条手段４により本体部１内に巻き戻すべく吊り紐３の一部を離すと、同一部の吊り紐３は本体部１内に巻き戻され、この巻き戻しに連れて前述のように、吊り紐３との接触と外周歯部14の案内歯部13に対する噛合によって、垂直平行通路部7-3の挟持ローラー2-2は幅狭通路部7-1を乗り越えて幅広通路部7-2へと転動しながら移動する（図３の（ｂ）から（ａ）の状態）。
この様にして、引き出した吊り紐３の一部を本体部１内に巻き戻すことで、挟持ローラー2-2を幅広通路部7-2へ移動させたところで、再び吊り紐３を引き出し方向に引っ張る。すると、吊り紐３の引っ張りよって、挟持ローラー2-2は外周歯部14を案内歯部13に噛合せしめた状態で幅狭通路部7-1へと転動する（図３の（ａ）から（ｃ）の状態）。これにより、吊り紐３は被吊り物Ａの重さなどによって更に引き出されないように、両挟持ローラー2-2，2-3間に挟持されるロック状態となる。
【００２９】
尚、本考案の具体的な実施形態にあっては、実施例１詳述の構成に限定されるものではなく、請求項１〜２記載の要旨を免脱しない範囲で種々変更して行うことができるものである。
【図面の簡単な説明】
【００３０】
【図１】本考案吊り具の実施形態の一例を示す縦断正面図
【図２】図１のII−II線縦断側面図
【図３】ケース部の挿通路に内設される一方の挟持ローラーの動きを示した要部の拡大縦断面図で、（ａ）は挟持ローラーが挿通路の幅広通路部に止まっている状態を示す、（ｂ）は挟持ローラーが吊り紐の引き出しに連れて挿通路の垂直平行通路部への移動せしめられた状態を示す、（ｃ）は挟持ローラーが挿通路の幅狭通路部に止まり、他方の挟持ローラーとによって吊り紐の引き出し方向への動きを保持すべく挟持せしめたロック状態を示す
【図４】同拡大縦断面図において、引き出された吊り紐が発条手段によって本体部内に巻取り収納されないようにロック保持されている状態を示す
【図５】本考案吊り具の使用の一例を示した正面図
【符号の説明】
【００３１】
１：本体部          ２：ロック手段
2-1：ケース部  2-2，2-3：挟持ローラー
３：吊り紐          ４：発条手段
６：リール          ７：挿通路
7-1：幅狭通路部     7-2：幅広通路部
7-3：垂直平行通路部  ８：繰出し口
10：引出し口       11：弾発手段
【図１】
0003111531.tif 000003
【図２】
0003111531.tif 000004
【図３】
0003111531.tif 000005
【図４】
0003111531.tif 000006
【図５】
0003111531.tif 000007